(57)【要約】【課題】透過光によって柄部分が浮き上がるようにして意匠性を高めた生地および遮蔽装置を提供する。【解決手段】経糸が複数本の緯糸の上を通過した後、１本の緯糸の下を通過することを繰り返して織られた両面サテン生地をスクリーン１２に用いるロールスクリーン１０であって、緯糸で構成された領域は、柄部１２ａを備え、柄部１２ａは、透光性の低い領域に透光性の高い領域を設けて構成されている。柄部１２ａは、スクリーン１２で区切られる２つの空間に明るさの差があるときに、暗い方の面に柄部１２ａが浮き上がる。【選択図】図１
2020059261.tif 000002
【特許請求の範囲】
【請求項１】
複数の層で構成された生地であって、
中間層は、透光性を異ならせて構成された柄部を備え、
前記柄部は、周辺領域よりも前記透光性の高い領域を設けて構成されている生地。
【請求項２】
一方の外層側の明るさと他方の外層側の明るさとに差があるときに、暗い方の外層に前記柄部が浮き上がる
請求項１に記載の生地。
【請求項３】
前記中間層は、溶解除去される繊維を含む織組織であり、前記柄部は、オパール加工により構成されている
請求項１または２に記載の生地。
【請求項４】
前記柄部は、前記中間層をレーザー加工することによって構成されている
請求項１または２に記載の生地。
【請求項５】
前記中間層は、平織組織である
請求項１ないし４のうち何れか１項に記載の生地。
【請求項６】
請求項１ないし請求項５のうち何れか１項に記載の生地を移動可能な遮蔽材として用いた遮蔽装置であって、
前記遮蔽材は室内または室外の何れか一方への透過光を利用して前記一方の側から前記柄部を視認可能とする遮蔽装置。
【請求項７】
前記遮蔽材は、前後に複数枚並べられており、
前後の遮蔽材の前記透光性の高い領域が重なったとき透光状態となり、
前後の遮蔽材の前記透光性の高い領域がずれたとき遮光状態となる
請求項６に記載の遮蔽装置。
【請求項８】
第１糸が複数本の第２糸の上を通過した後、１本の前記第２糸の下を通過することを繰り返して織られた生地であって、
前記第２糸の一部の領域は、柄部を構成し、前記柄部は、周辺領域よりも透光性の高い領域を設けて構成されている生地。
【請求項９】
前記第２糸は、溶解除去される繊維を含む糸であって、前記柄部は、オパール加工により構成されている
請求項８に記載の生地。
【請求項１０】
前記溶解除去される繊維を含む糸は、カチオン可染繊維である
請求項９に記載の生地。
【請求項１１】
前記生地は、サテン生地である
請求項８ないし１０のうち何れか１項に記載の生地。
【請求項１２】
請求項８ないし請求項１１のうち何れか１項に記載の生地を移動可能な遮蔽材として用いた遮蔽装置であって、
前記遮蔽材は室内または室外の何れか一方への透過光を利用して前記一方の側から前記柄部を視認可能とする遮蔽装置。
【請求項１３】
前記遮蔽材は、前後に複数枚並べられており、
前後の遮蔽材の前記透光性の高い領域が重なったとき透光状態となり、
前後の遮蔽材の前記透光性の高い領域がずれたとき遮光状態となる
請求項１２に記載の遮蔽装置。
【請求項１４】
複数の層で構成された生地であって、
中間層は、透光性を異ならせて構成された柄部を備え、
前記柄部は、周辺領域よりも前記透光性の高い領域を設けて構成され、
外層は、前記柄部により生じる凹凸が表面に表れておらず、
一方の外層側の明るさと他方の外層側の明るさとに差があるときに、暗い方の外層に前記柄部が浮き上がって視認可能となる生地。
【発明の詳細な説明】
【技術分野】
【０００１】
本発明は、柄部を有する生地および遮蔽装置に関する。
【背景技術】
【０００２】
遮蔽装置としてのロールスクリーンは、生地で構成されたスクリーンが引き出し操作によって下降し、また、生地の巻き取り操作によって上昇する。例えば、特許文献１には、２枚の透光性繊維基材の間に柄付シートを設け、柄付シートにおいて、柄部を他の領域よりも透光性を低くした生地のスクリーンが記載されている。このスクリーンは、一方の面から照射された透過光によって、他方の面に柄部を浮かび上がらせる意匠性を有している。すなわち、この生地では、透過光が照射された際に、柄部が周辺領域より暗くなるように浮き上がる。
【先行技術文献】
【特許文献】
【０００３】
【特許文献１】特開２００１−３３６３７２号公報
【発明の概要】
【発明が解決しようとする課題】
【０００４】
このように、スクリーンに用いられる生地においては、透過光によって柄部を浮き上がらせるにも、柄部を周辺より暗くするのか明るくするのかによってもその意匠性は異なってくる。
【０００５】
本発明の目的は、新たな構成で透過光によって柄部が浮き上がるようにして意匠性を高めた生地および遮蔽装置を提供することにある。
【課題を解決するための手段】
【０００６】
上記課題を解決するための生地は、複数の層で構成された生地であって、中間層は、透光性を異ならせて構成された柄部を備え、前記柄部は、周辺領域よりも前記透光性の高い領域を設けて構成されている。上記生地において、前記第１面側の明るさと前記第２面側の明るさとに差があるときに、暗い方の外層に前記柄部が浮き上がるようになる。
【０００７】
上記生地において、溶解除去される繊維を含む織組織であり、前記柄部は、オパール加工により構成されているようにしてもよい。また、上記生地において、前記柄部は、前記中間層をレーザー加工して構成されているようにしてもよい。
【０００８】
上記生地において、前記中間層は、平織組織としてもよい。
上記課題を解決するための遮蔽装置は、上述のような構成を備えた生地を移動可能な遮蔽材として用いた遮蔽装置であって、前記遮蔽材は室内または室外の何れか一方への透過光を利用して前記一方の側から前記柄部を視認可能とするものである。上記遮蔽装置において、前記遮蔽材は、前後に複数枚並べられており、前後の遮蔽材の前記透光性の高い領域が重なったとき透光状態となり、前後の遮蔽材の前記透光性の高い領域がずれたとき遮光状態となるようにすることもできる。
【０００９】
上記課題を解決するための生地は、第１糸が複数本の第２糸の上を通過した後、１本の前記第２糸の下を通過することを繰り返して織られた生地であって、前記第２糸の一部の領域は、柄部を構成し、前記柄部は、周辺領域よりも前記透光性の高い領域を設けて構成されている。
【００１０】
上記生地において、前記第２糸は、溶解除去される繊維を含む糸であって、前記柄部は、オパール加工により構成されているようにしてもよい。また、上記生地において、前記溶解除去される繊維を含む糸は、カチオン可染繊維で構成してもよい。上記生地において、前記生地は、サテン生地で構成してもよい。
【００１１】
上記課題を解決するための遮蔽装置は、上述のような構成を備えた生地を昇降可能なスクリーンとして用いた遮蔽装置であって、前記スクリーンは室内または室外の何れか一方への透過光を利用して前記一方の側から前記柄部を視認可能とするものである。上記遮蔽装置において、前記遮蔽材は、前後に複数枚並べられており、前後の遮蔽材の前記透光性の高い領域が重なったとき透光状態となり、前後の遮蔽材の前記透光性の高い領域がずれたとき遮光状態となるようにすることもできる。
【００１２】
また、上記課題を解決するための生地は、複数の層で構成された生地であって、中間層は、透光性を異ならせて構成された柄部を備え、前記柄部は、周辺領域よりも前記透光性の高い領域を設けて構成され、外層は、前記柄部により生じる凹凸が表面に表れておらず、一方の外層側の明るさと他方の外層側の明るさとに差があるときに、暗い方の外層に前記柄部が浮き上がって視認可能となる生地である。
【発明の効果】
【００１３】
本発明によれば、新たな構成で透過光によって柄部が浮き上がるようにして意匠性を高めることができる。
【図面の簡単な説明】
【００１４】
【図１】第１実施形態におけるロールスクリーンの正面図。
【図２】スクリーンに用いられる両面サテン生地を示す図であり、（ａ）は、両面サテン生地の組織図、（ｂ）は、（ａ）における第１列の端面を示す模式図、（ｃ）は、（ａ）における第２列の端面を示す模式図。
【図３】（ａ）は、両面サテン生地における緯糸の模式図、（ｂ）は、（ａ）の変形例を示す模式図。
【図４】ロールスクリーンの使用状態と柄部の見え方との関係を示す図であって、（ａ）は、日中の使用環境を示す模式図、（ｂ）は、室外からの柄部の見え方を示す図、（ｃ）は、室内からの柄部の見え方を示す図。
【図５】第２実施形態のスクリーンの構成を示す分解斜視図。
【図６】第２実施形態のスクリーンに用いられる平織生地の組織図。
【図７】調光ロールスクリーンの模式図であって，（ａ）は、透光状態、（ｂ）は、遮光状態を示す。
【発明を実施するための形態】
【００１５】
以下、本発明が適用されたロールスクリーンについて図面を参照して説明する。
〔第１実施形態〕
図１に示すように、このロールスクリーン１０は、一例として、窓枠に取り付けられ、日射などを遮蔽する遮蔽装置として使用され、また、部屋と階段といった第１空間と第２空間とを仕切り空気の流れなどを遮蔽する遮蔽装置として使用される。このようなロールスクリーン１０は、窓枠や天井に設けられた設置部２に取り付けられる。
【００１６】
ロールスクリーン１０は、設置部２に取り付けられるヘッド部１１と、ヘッド部１１から垂下される遮蔽材としてのスクリーン１２とを備えている。ヘッド部１１は、ブラケット４を介して設置部２に取り付けられる。ヘッド部１１は、幅方向における両端部にサイドカバー１３を備えている。サイドカバー１３は、内部に、スクリーン１２を巻回する巻取軸としての巻取パイプ１４を回転可能に支持している。巻取パイプ１４は、ヘッド部１１の幅方向に延在しており、幅方向における一端部に、巻取パイプ１４と同軸のプーリ１５を備えている。プーリ１５には、操作部として、巻取パイプ１４を回転する環状の操作チェーン１６が係合されている。操作チェーン１６は、ヘッド部１１の幅方向における一端部より垂下されており、操作チェーン１６を構成する２本のチェーンが垂下されている。操作チェーン１６は、２本のチェーンのうちの何れか一方のチェーンを引き下げる操作を行うことで、巻取パイプ１４をスクリーン１２の引き出し方向に回転させたり、スクリーン１２の巻取方向に回転させる。これにより、ウェイトバー１７とともにスクリーン１２が昇降される。
【００１７】
スクリーン１２は、一例として、可撓性シートである。スクリーン１２の巻取および引き出し方向である上下方向において、スクリーン１２の一端部は、巻取パイプ１４に固定され、他端部は、スクリーン１２の位置を上下方向に沿って安定させるウェイトバー１７が取り付けられている。
【００１８】
ここでのスクリーン１２は、遮光率の高い生地で構成されており、両面サテン生地が用いられている。また、スクリーン１２は、透過光が照射された際に、暗い方の空間側の面に柄が明るく浮かび上がるように構成されている。このスクリーン１２では、例えば小鳥が枝に止まっている状態の柄部１２ａが設けられており、透過光が照射された際に、暗い方の空間側の面に柄部１２ａが明るく浮かび上がる。柄部１２ａとしては、アルファベット、数字、ひらがな、カタカナ、漢字、記号など文字、キャラクタ、線、図形などを構成要素とした模様で構成されている。また、柄部１２ａとしては、他に、幾何学模様などであってもよい。また、ここでの柄部１２ａは、帯形状など単調な模様であってもよい。
【００１９】
サテン（朱子織）生地は、次のような特徴を有している。サテン生地は、生地の三原組織（他に、平織、綾織がある。）の１つである。サテン生地は、経糸が複数本の緯糸の上を通過した後、１本の緯糸の下を通過することを繰り返して織られた織物である。さらに具体的には、経糸と複数本の緯糸とで組織され、交差している接結点（組織点）が上下左右とも隣接しないように規則的に飛ばして織った織物であって、経糸が浮き糸となって表面を構成している。サテン生地には、例えば４本糸が浮き５本目に接結する５枚朱子、７本糸が浮き８本目に接結する８枚朱子、１１本糸が浮き１２本目に接結する１２枚朱子などがある。サテン生地は、平織などの他の組織と比べて使用する糸が多く厚手生地である一方で、浮き糸が多いことから、摩擦に弱く毛羽立ち易い。そして、サテン生地は、用途によって、経糸（浮き糸）が一方の表面にのみ表れた片面サテン生地と両面に表れた両面サテン生地とがある。スクリーン１２は、各面が意匠面となることから、両面サテン生地が使用されている。
【００２０】
図２（ａ）〜（ｃ）に示すように、スクリーン１２で用いられる両面サテン生地は、浮き糸が両面に表れており、奇数番目の経糸２１が一方の第１面に浮く浮き糸となり（図２（ｂ）参照）、偶数番目の経糸２２が他方の第２面に浮く浮き糸となっている（図２（ｃ）参照）。なお、スクリーン１２を遮光性とする場合、表面に表れない緯糸２３は、黒色など明度の低い糸を用いることが好ましい。また、両面サテン生地は、樹脂が含浸加工されることによって、繊維が解れにくくなり、耐摩擦性を向上され、また、形状安定性が向上されている。なお、スクリーン１２の防炎性を高める場合には、染料などの色材に防炎剤を混ぜるようにする。
【００２１】
両面サテン生地で構成されたスクリーン１２は、一方の第１面の浮き糸である経糸２１が第１外層を構成し、他方の第２面の浮き糸である経糸２２が第２外層を構成し、両面の浮き糸の交差する緯糸２３が中間層を構成している。図３（ａ）に示すように、中間層を構成する緯糸２３は、第１糸要素２４と第２糸要素２５とを合撚した合撚糸である。そして、第１糸要素２４は、レギュラーポリエステルの長繊維である。第２糸要素２５は、アルカリを主成分とする繊維分解剤で溶解する常圧カチオン可染ポリエステルの長繊維である。第２糸要素２５は、アルカリを主成分とする繊維分解剤で溶解する処理時間などを調整することで、溶解の程度を適宜調整することができる。スクリーン１２では、第２糸要素２５である常圧カチオン可染ポリエステルの長繊維を溶解して、織物に透かし模様を付けて、柄部１２ａを設けている（オパール加工）。両面サテン生地は、オパール加工によって中間層に柄部１２ａが設けられた後、樹脂が含浸加工される。
【００２２】
なお、経糸２１，２２は、第１糸要素と第２糸要素とを合撚した合撚糸であり、各糸要素は、例えばレギュラーポリエステルの長繊維である。したがって、経糸２１，２２は、オパール加工によっても溶解除去されない。
【００２３】
このようなスクリーン１２は、緯糸２３の一部が溶解除去された部分が他の周辺領域よりも薄手となって透光性が高くなり、この透光性の差によって、柄部１２ａが構成されることになる。すなわち、スクリーン１２は、両面サテン生地により構成されることで、全体としては遮光性でありながら、オパール加工より緯糸２３の一部が溶解除去された部分では透光性が高くなり、透光性の差によって柄部１２ａが構成されるようになっている。そして、中間層を構成する緯糸２３の一部が溶解除去されても、経糸２１，２２で構成される各外層は、緯糸２３の一部が溶解除去した部分を覆うことで、表面に凹凸が表れない、または、表れにくくしている。
【００２４】
また、図３（ｂ）に示すように、中間層を構成する緯糸２３は、二重構造糸であるカバードヤーンであってもよい。この場合、緯糸は、第１糸要素２４は、レギュラーポリエステル繊維からなり、二層構造糸の芯を構成している。第２糸要素２５は、芯となる第１糸要素２４の周囲を被覆している。そして、第１糸要素２４の周囲を被覆している第２糸要素２５が常圧カチオン可染ポリエステルの長繊維である。なお、図３（ｂ）は、第２糸要素は、一層構造で第１糸要素の周囲を被覆しているが、二層構造で第１糸要素を被覆するようにしてもよい。
【００２５】
次に、上記のように構成されたロールスクリーンの動作を説明する。操作チェーン１６は、２本のチェーンのうちの何れか一方のチェーンを引き下げる操作を行うことで、巻取パイプ１４をスクリーン１２の引き出し方向に回転させたり、スクリーン１２の巻取方向に回転させる。これにより、ウェイトバー１７とともにスクリーン１２が昇降される。
【００２６】
図４（ａ）は、ロールスクリーン１０が窓枠に設定されており、スクリーン１２の図中左側の面が室外を向いており、右側の面が室内を向いている。そして、日中のように、室外の方が室内よりも明るい状態を示している。この場合、室外から日射がスクリーン１２に照射される。すると、日射は、遮光性の高いスクリーン１２によって遮られる。ただし、オパール加工により緯糸２３の一部が溶解除去された部分は、透光性が高く、透過光としての日射が透過し易くなっている。したがって、図４（ｂ）に示すように、明るい方の室外からは柄部１２ａが視認しづらくなる。一方で、図４（ｃ）に示すように、暗い方の室内からは、緯糸２３の一部が溶解除去された部分と溶解除去されていない部分との透光性の差によって、柄部１２ａが明るく浮き上がって見えることになる。
【００２７】
図示はしないが、これとは逆に、夜間などは、室内が明るく、室外が暗い。そうすると、緯糸２３の一部が溶解除去された部分からは、透過光としての室内の照明光が透過する。したがって、室外から見たときに、柄部１２ａが明るく浮き上がって見える。そして、室内からは柄部１２ａが視認しづらくなる。
【００２８】
以上のようなロールスクリーンは、以下に列挙する効果を得ることができる。
（１−１）スクリーン１２は、中間層を構成する緯糸２３の一部がオパール加工によって溶解除去されていることで、周囲の領域よりも高い透光性を有している。したがって、暗い側の面には、透光性の差によって柄部１２ａを周辺よりも明るく浮き上がらせることができる。
【００２９】
（１−２）柄部１２ａは、表面を構成しない中間層を構成する緯糸２３をオパール加工することによって、部分的に透光性を高くしている。したがって、スクリーン１２の表面（各外層）は、緯糸２３の一部を溶解したことにより生じた凹凸が表面に表れない、または、表れにくくなる。これにより、スクリーンの表面は、凹凸によって影ができにくくなり、明るい状態において、柄部１２ａを一層見えにくくすることができる。また、触覚によっても分かりにくくすることができる。
【００３０】
（１−３）スクリーン１２は、織組織であり、既存のスクリーン１２と同様の取り扱いをすることができる。
（１−４）柄部１２ａは、オパール加工によって容易に織組織に設けることができる。
【００３１】
（１−５）スクリーン１２は、両面サテン生地を使用することで、１枚の生地で、中間層に柄部１２ａを設けることができる。したがって、スクリーン１２の構成は、簡素である。
【００３２】
なお、第１実施形態は、さらに、例えば以下のように適宜変更して実施することもできる。
・図３は、経糸を浮き糸としたサテン生地であるが、緯糸を浮き糸としたサテン生地であってもよい。この場合、中間層は、経糸で構成されることになり、当該経糸が常圧カチオン可染ポリエステル繊維を含む糸で構成され、オパール加工によって一部が柄部１２ａに応じて溶解除去される。
【００３３】
・オパール加工によって溶解除去される繊維は、常圧カチオン可染ポリエステル繊維に限定されるものではない。酸に強い繊維（絹、ナイロン、ポリエステルなど）と酸に弱い繊維（セルロース系の繊維（綿、レーヨンなど））を組み合わせ、酸に弱い繊維が溶解除去されるようにしてもよい。
【００３４】
・両面サテン生地は、遮光性に優れたものであるが、遮光性を下げたスクリーン１２の場合は、緯糸２３を明度を調整するため黒色以外とすることで遮光性を調整することができる。
【００３５】
・スクリーン１２の外層（表面）は、印刷によって、更なる柄部が設けられているようにしてもよい。これにより、スクリーン１２は、外層（表面）の柄部と中間層の柄部１２ａとの組み合わせでデザイン設計の自由度を高くすることができる。
【００３６】
〔第２実施形態〕
図５に示すように、第２実施形態のスクリーン３１は、第１外層を構成する第１生地３２と、第２外層を構成する第２生地３３と、第１生地３２と第２生地３３との間に位置する中間層としての第３生地３４とを備えている。
【００３７】
図６に示すように、第１生地３２および第２生地３３は、その用途により様々な生地が用いられる。例えば、第１生地３２および第２生地３３は、経糸３５と緯糸３６を交互に浮き沈みさせて織った平織生地である。なお、経糸が２本もしくは３本の緯糸の上を通過した後、１本の緯糸の下を通過することを繰り返して織られる綾織生地であってもよいし、両面に浮き糸が表れた両面サテン生地や片面に浮き糸が表れた片面サテン生地であってもよい。
【００３８】
第３生地３４は、両面が平坦な平織生地であり、経糸３７および緯糸３８の何れか一方または両方に、アルカリを主成分とする繊維分解剤で溶解する常圧カチオン可染ポリエステルの長繊維が用いられている（図３参照）。そして、第３生地３４は、オパール加工によって柄部３４ａが設けられる。第３生地３４は、平織生地を用いることで、第１生地３２および第２生地３３の表面に凹凸を表れにくくしている。第３生地３４に設けられる柄部３４ａは、オパール加工ではなく、レーザー加工によって形成されていてもよい。第３生地３４は、第１生地３２および第２生地３３に対して接着剤によって張り合わされる。ここで用いられる接着剤は、例えば透光性を有する布用接着剤が用いられる。スクリーン３１の遮光性を高める場合、表面に表れない第３生地３４には、黒色の生地を用いることが好ましい。
【００３９】
以上のように構成されたスクリーン３１にあっても、室外から日射がスクリーン３１に照射される。すると、日射は、遮光性の高いスクリーン３１によって遮られる。ただし、第３生地３４において、オパール加工によりの一部が溶解除去された部分は、透光性が高く、透過光としての日射が透過し易くなっている。したがって、明るい方の室外からは柄部３４ａが視認しづらくなる。一方で、暗い方の室内からは、第３生地３４におけるオパール加工によりの一部が溶解除去された部分と溶解除去されていない部分との透光性の差によって、柄部３４ａが明るく浮き上がって見えることになる。
【００４０】
これとは逆に、夜間などは、室内が明るく、室外が暗い。そうすると、第３生地３４におけるオパール加工によりの一部が溶解除去された部分からは、透過光としての室内の照明光が透過する。したがって、室外から見たときに、柄部３４ａが浮き上がって見える。そして、室内からは柄部３４ａが視認しづらくなる。
【００４１】
以上のようなスクリーン３１は、以下に列挙する効果を得ることができる。
（２−１）スクリーン３１は、第１生地３２と第２生地３３と第３生地３４とを貼り合わせるだけで簡単に構成することができる。
【００４２】
（２−２）第１生地３２と第２生地３３との間に位置する第３生地３４には、平織生地が用いられていることで、第１生地３２および第２生地３３（スクリーン３１の表面および裏面）に凹凸が表れることを抑えることができる。これにより、スクリーン３１の表面は、凹凸によって影ができにくくなり、柄部３４ａを一層見えにくくすることができる。また、触覚によっても分かりにくくすることができる。
【００４３】
（２−３）第３生地３４の柄部３４ａは、オパール加工の他、レーザー加工によっても設けることができる。勿論、柄部３４ａは、オパール加工とレーザー加工と併用することもできる。
【００４４】
なお、第２実施形態は、さらに、例えば以下のように適宜変更して実施することもできる。
・第１生地３２および第２生地３３にも柄部３４ａがプリントなどによって設けられていてもよい。これにより、スクリーン３１は、第１生地３２および第２生地３３の柄部と第３生地３４の柄部３４ａとの組み合わせでデザイン設計の自由度を高くすることができる。
【００４５】
・第１生地３２で構成される第１外層および第２生地３３で構成される第２外層の両方は、織組織ではなく樹脂シートであってもよいし、何れか一方が生地で他方が樹脂シートであってもよい。また、第１外層および第２外層の少なくともいずれか一方は、樹脂シートなどのシート素材ではなく、中間層の各面にコーティングされた樹脂層であってもよい。
【００４６】
・第３生地３４で構成される中間層も、織組織ではなく樹脂シートであってもよい。中間層を樹脂シートで構成する場合は、印刷によって柄部３４ａを構成するようにすればよい。
【００４７】
・柄部３４ａにおける透光の程度は、１段階に限定されるものではなく、多段階であってもよい。これにより、柄部３４ａを構成する図柄の表現方法を増やすことができる。例えば、レーザー加工において、レーザー出力を可変制御することで、透光の程度を多段階とすることができる。
【００４８】
・第２実施形態のスクリーン３１は、第１生地３２、第２生地３３および第３生地３４の３層構造に限定されるものではない。外層を構成する第１生地３２と第２生地３３との間には、複数の生地や樹脂シートが挟まれることによって複数の層によって中間層が構成されていてもよい。このような場合、第１生地３２と第２生地３３との間の複数の層のうち少なくとも１つの層に柄部３４ａが設けられることになる。例えば、１つの層に柄部３４ａが設けられていてもよいし、全ての層に柄部３４ａが設けられていてもよいし、幾つかの層に柄部３４ａが設けられていてもよい。全てまたは幾つかの層に柄部３４ａを設ける場合、１つの層に設けた柄部と他の層に設けた柄部とを組み合わせた状態で１つのまとまりを有する柄を構成するようにしてもよい。
【００４９】
なお、第１実施形態および第２実施形態は、さらに、例えば以下のように適宜変更して実施することもできる。
・遮蔽装置としては、ロールスクリーンの他に、縦型ブラインドの縦型スラットに適用してもよい。また、たくし上げカーテンやプリーツスクリーン、カーテンなどに適用してもよい。
【００５０】
・ロールスクリーンの中には調光ロールスクリーンがある。調光ロールスクリーンは、例えば２枚のスクリーン４１，４２が前後に並んでいる。各スクリーン４１，４２は、光を透過する透光部４３と、光を遮光する遮光部４４とが交互に上下方向に並設されている。そして、調光ロールスクリーンは、各スクリーン４１，４２が相対的に上下に移動されることで、２枚のスクリーン４１，４２の透光部４３の位置が一致した、すなわち重なった透光状態（図７（ａ）参照）と、１つのスクリーン４１の透光部４３と他のスクリーン４２の遮光部４４の位置が一致した、すなわち重なった遮光状態とが切り替わる（図７（ｂ）参照）。各スクリーン４１，４２は、全体としては透光部４３と遮光部４４とによって縞模様を有している。ここでの各スクリーン４１，４２は、一例として、第１実施形態のように両面サテン生地で構成する。そして、透光部４３をオパール加工によって透光性を有するように構成する。ここで透光部４３は、帯形状を有しており、遮光部４４よりも透光性の高い部分となる。透光部全体が同じ透光性を有した柄部１２ａとなってもよいし、透光部４３となる帯状領域に、幾何学模様などの柄部１２ａが設けられていてもよい。
【００５１】
また、各スクリーン４１，４２は、第２実施形態のように複数枚の生地を重ねて構成してもよい。この場合、中間層を構成する生地に対して、オパール加工やレーザー加工を施すことによって、帯形状を有した透光部４３となる領域を構成する。複数枚の生地を重ねたときには、オパール加工やレーザー加工を施した領域がスクリーンの透光部４３となる。中間層を構成する生地に設ける透光部４３となる領域は、領域全体が同じ透光性を有した柄部１２ａとなってもよいし、幾何学模様などの柄部１２ａが設けられていてもよい。
【００５２】
なお、前後に並べられるスクリーンの枚数は、３枚以上であってもよく、その中の少なくとも１枚のスクリーンが移動して透光状態と遮光状態とが切り替わるようにしてもよい。
【００５３】
・スクリーン１２，３１を構成する生地は、ロールスクリーン以外の用途にも使用可能である。例えば、照明器具のランプシェードとして使用することも可能である。
【符号の説明】
【００５４】
２…設置部、４…ブラケット、１０…ロールスクリーン、１１…ヘッド部、１２…スクリーン、１２ａ…柄部、１３…サイドカバー、１４…巻取パイプ、１５…スプロケット、１６…操作チェーン、１７…ウェイトバー、２１…経糸、２２…経糸、２３…緯糸、２４…第１糸要素、２５…第２糸要素、３１…第２実施形態のスクリーン、３１…スクリーン、３２…第１生地、３３…第２生地、３４…第３生地、３４ａ…柄部、３５…経糸、３６…緯糸、３７…経糸、３８…緯糸、４１，４２…スクリーン、４３…透光部、４４…遮光部。
【図１】
2020059261.tif 000003
【図２】
2020059261.tif 000004
【図３】
2020059261.tif 000005
【図４】
2020059261.tif 000006
【図５】
2020059261.tif 000007
【図６】
2020059261.tif 000008
【図７】
2020059261.tif 000009